(57)【要約】【課題】高電力駆動において黒化を抑制できる光源装置を提供する。【解決手段】本発明の光源装置の一つの態様は、電極を有する放電灯と、放電灯に駆動電力を供給する放電灯駆動部と、放電灯を冷却する冷却部と、放電灯駆動部および冷却部を制御する制御部と、を備え、制御部は、放電灯に第１駆動電力を供給する定常点灯駆動と、放電灯に第１駆動電力よりも大きい第２駆動電力を供給し、かつ前記放電灯の前記電極の先端を溶融させる高電力駆動と、を実行可能であり、定常点灯駆動が実行される定常点灯期間において、駆動電力の値に応じて設定されている第１出力で冷却部を駆動し、高電力駆動が実行される高電力点灯期間の少なくとも一部において、前記駆動電力の値に対しての出力が第１出力よりも小さい第２出力で冷却部を駆動することを特徴とする。【選択図】図４
2016162614.tif 000002
【特許請求の範囲】
【請求項１】
電極を有する放電灯と、
前記放電灯に駆動電力を供給する放電灯駆動部と、
前記放電灯を冷却する冷却部と、
前記放電灯駆動部および前記冷却部を制御する制御部と、
を備え、
前記制御部は、
前記放電灯に第１駆動電力を供給する定常点灯駆動と、前記放電灯に前記第１駆動電力よりも大きい第２駆動電力を供給し、かつ前記放電灯の前記電極の先端を溶融させる高電力駆動と、を実行可能であり、
前記定常点灯駆動が実行される定常点灯期間において、前記駆動電力の値に応じて設定されている第１出力で前記冷却部を駆動し、
前記高電力駆動が実行される高電力点灯期間の少なくとも一部において、前記駆動電力の値に対しての出力が前記第１出力よりも小さい第２出力で前記冷却部を駆動することを特徴とする光源装置。
【請求項２】
前記第１出力は、前記駆動電力に比例する、請求項１に記載の光源装置。
【請求項３】
前記制御部は、前記高電力駆動によって前記電極に加えられる熱負荷の大きさに応じて、前記高電力点灯期間における前記冷却部の駆動を制御する、請求項１または２に記載の光源装置。
【請求項４】
前記制御部は、前記熱負荷の大きさが大きいほど、前記第２出力の値を大きく設定する、請求項３に記載の光源装置。
【請求項５】
前記制御部は、前記熱負荷の大きさが大きいほど、前記高電力点灯期間において前記第２出力で前記冷却部が駆動される期間の長さを小さく設定する、請求項３または４に記載の光源装置。
【請求項６】
前記制御部は、前記高電力点灯期間の全体において、前記第２出力で前記冷却部を駆動する、請求項１から４のいずれか一項に記載の光源装置。
【請求項７】
前記制御部は、前記高電力点灯期間における前記第２出力で前記冷却部が駆動される期間において、前記第２出力の値を変化させる、請求項１から６のいずれか一項に記載の光源装置。
【請求項８】
前記高電力点灯期間における前記第２出力の値は、前記定常点灯期間における前記第１出力の値以上である、請求項１から７のいずれか一項に記載の光源装置。
【請求項９】
前記制御部は、前記放電灯が点灯開始してから、前記定常点灯期間に移行するまでの立上期間において、前記高電力駆動を実行するように前記放電灯駆動部を制御する、請求項１から８のいずれか一項に記載の光源装置。
【請求項１０】
請求項１から９のいずれか一項に記載の光源装置と、
前記光源装置から射出される光を映像信号に応じて変調する光変調素子と、
前記光変調素子により変調された光を投射する投射光学系と、
を備えることを特徴とするプロジェクター。
【請求項１１】
電極を有し駆動電力が供給されて駆動する放電灯と、前記放電灯を冷却する冷却部と、を備える放電灯の冷却方法であって、
前記放電灯に第１駆動電力を供給する定常点灯駆動と、前記放電灯に前記第１駆動電力よりも大きい第２駆動電力を供給し、かつ前記放電灯の前記電極の先端を溶融させる高電力駆動と、を含み、
前記定常点灯駆動が実行される定常点灯期間において、前記駆動電力の値に応じて設定されている第１出力で前記冷却部を駆動し、
前記高電力駆動が実行される高電力点灯期間の少なくとも一部において、前記駆動電力の値に対しての出力が前記第１出力よりも小さい第２出力で前記冷却部を駆動することを特徴とする放電灯の冷却方法。
【発明の詳細な説明】
【技術分野】
【０００１】
本発明は、光源装置、プロジェクター、および放電灯の冷却方法に関する。
【背景技術】
【０００２】
近年、プロジェクターには省エネルギー化が求められている。そのため、ランプへの駆動電力を通常よりも低下させる低電力モード、映像信号に同期して駆動電力を変化させる調光モード、外部から映像信号が入力されていないときに駆動電力を低下させる待機モードなど、各種の点灯モードを搭載したプロジェクターが提供されている。例えば低電力モードでは、ランプに供給される駆動電力が低いため、電極への負荷が小さくなり、ランプの寿命が長くなる。
【０００３】
しかしながら、駆動電力が定格電力よりも小さい場合、電極先端の突起を充分に溶融させることができず、点灯を長時間続けると、突起が損耗、縮小する。突起の縮小は電極間距離が広がることとなり、照度の低下を引き起こす。つまり、電極先端の突起の形状を維持できない場合、低電力モードの利点を生かせず、ランプの寿命が短くなるという問題が生じる。そこで、この問題を解決するために、例えば、特許文献１に示すように、ランプ点灯後の所定の期間において、電極の突起の溶融を促進するリフレッシュ点灯モードでランプを駆動する放電灯点灯装置、およびプロジェクターが提案されている。
【先行技術文献】
【特許文献】
【０００４】
【特許文献１】特開２００８−２７００５８号公報
【発明の概要】
【発明が解決しようとする課題】
【０００５】
しかし、上記のリフレッシュ点灯モードにおいては、電極の突起の溶融が促進されるため、電極の材質であるタングステンが蒸発しやすい。これにより、蒸発したタングステンが放電灯の内壁に付着する黒化が生じやすい問題があった。黒化が生じると、照度低下や、放電灯の内壁が結晶化する失透が生じ、放電灯の寿命が低下する問題があった。
【０００６】
本発明の一つの態様は、上記問題点に鑑みて成されたものであって、高電力駆動において黒化を抑制できる光源装置、およびそのような光源装置を備えるプロジェクターを提供することを目的の一つとする。また、本発明の一つの態様は、高電力駆動において黒化を抑制できる放電灯の冷却方法を提供することを目的の一つとする。
【課題を解決するための手段】
【０００７】
本発明の光源装置の一つの態様は、電極を有する放電灯と、前記放電灯に駆動電力を供給する放電灯駆動部と、前記放電灯を冷却する冷却部と、前記放電灯駆動部および前記冷却部を制御する制御部と、を備え、前記制御部は、前記放電灯に第１駆動電力を供給する定常点灯駆動と、前記放電灯に前記第１駆動電力よりも大きい第２駆動電力を供給し、かつ前記放電灯の前記電極の先端を溶融させる高電力駆動と、を実行可能であり、前記定常点灯駆動が実行される定常点灯期間において、前記駆動電力の値に応じて設定されている第１出力で前記冷却部を駆動し、前記高電力駆動が実行される高電力点灯期間の少なくとも一部において、前記駆動電力の値に対しての出力が前記第１出力よりも小さい第２出力で前記冷却部を駆動することを特徴とする。
【０００８】
本発明の光源装置の一つの態様によれば、高電力駆動が実行される高電力点灯期間の少なくとも一部において、駆動電力の値に応じて設定されている第１出力よりも小さい第２出力で、冷却部が駆動される。そのため、高電力点灯期間における放電灯の放電灯温度は、高電力点灯期間全体で冷却部が第１出力で駆動される場合に比べて、高くなる。これにより、放電灯内においてハロゲンサイクルが活性化され、黒化が抑制される。したがって、本発明の光源装置の一つの態様によれば、高電力駆動において黒化が抑制できる光源装置が得られる。
【０００９】
前記第１出力は、前記駆動電力に比例する構成としてもよい。
この構成によれば、放電灯の温度を安定して一定の値に維持することが容易である。
【００１０】
前記制御部は、前記高電力駆動によって前記電極に加えられる熱負荷の大きさに応じて、前記高電力点灯期間における前記冷却部の駆動を制御する構成としてもよい。
この構成によれば、放電灯の温度が過度に大きくなることを抑制しやすい。
【００１１】
前記制御部は、前記熱負荷の大きさが大きいほど、前記第２出力の値を大きく設定する構成としてもよい。
この構成によれば、放電灯の温度が過度に大きくなることを抑制しやすい。
【００１２】
前記制御部は、前記熱負荷の大きさが大きいほど、前記高電力点灯期間において前記第２出力で前記冷却部が駆動される期間の長さを小さく設定する構成としてもよい。
この構成によれば、放電灯の温度が過度に大きくなることを抑制しやすい。
【００１３】
前記制御部は、前記高電力点灯期間の全体において、前記第２出力で前記冷却部を駆動する構成としてもよい。
この構成によれば、制御部の制御を簡便にできる。
【００１４】
前記制御部は、前記高電力点灯期間における前記第２出力で前記冷却部が駆動される期間において、前記第２出力の値を変化させる構成としてもよい。
この構成によれば、放電灯の温度を調整しやすい。
【００１５】
前記高電力点灯期間における前記第２出力の値は、前記定常点灯期間における前記第１出力の値以上である構成としてもよい。
この構成によれば、黒化を抑制しつつ、放電灯の温度が過度に大きくなることを抑制できる。
【００１６】
前記制御部は、前記放電灯が点灯開始してから、前記定常点灯期間に移行するまでの立上期間において、前記高電力駆動を実行するように前記放電灯駆動部を制御する構成としてもよい。
この構成によれば、放電灯の温度を上昇させやすい。
【００１７】
本発明のプロジェクターの一つの態様は、上記の光源装置と、前記光源装置から射出される光を映像信号に応じて変調する光変調素子と、前記光変調素子により変調された光を投射する投射光学系と、を備えることを特徴とする。
【００１８】
本発明のプロジェクターの一つの態様によれば、上記の光源装置を備えるため、高電力駆動において黒化を抑制できるプロジェクターが得られる。
【００１９】
本発明の放電灯の冷却方法の一つの態様は、電極を有し駆動電力が供給されて駆動する放電灯と、前記放電灯を冷却する冷却部と、を備える放電灯の冷却方法であって、前記放電灯に第１駆動電力を供給する定常点灯駆動と、前記放電灯に前記第１駆動電力よりも大きい第２駆動電力を供給し、かつ前記放電灯の前記電極の先端を溶融させる高電力駆動と、を含み、前記定常点灯駆動が実行される定常点灯期間において、前記駆動電力の値に応じて設定されている第１出力で前記冷却部を駆動し、前記高電力駆動が実行される高電力点灯期間の少なくとも一部において、前記駆動電力の値に対しての出力が前記第１出力よりも小さい第２出力で前記冷却部を駆動することを特徴とする。
【００２０】
本発明の放電灯の冷却方法の一つの態様によれば、上述したのと同様にして、高電力駆動において黒化を抑制できる。
【図面の簡単な説明】
【００２１】
【図１】本実施形態のプロジェクターの概略構成図である。
【図２】本実施形態の放電灯の断面図である。
【図３】本実施形態の放電灯の部分拡大断面図である。
【図４】本実施形態の駆動電力波形およびファン電圧波形を示すグラフである。
【図５】電極先端の突起の形状を示す図である。
【図６】本実施形態のファン電圧波形の他の一例を示すグラフである。
【図７】本実施形態のファン電圧波形の他の一例を示すグラフである。
【発明を実施するための形態】
【００２２】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２３】
図１は、本実施形態に係るプロジェクター１Ａの構成概略図である。
本実施形態に係るプロジェクター１Ａは、図１に示すように、内部に設けられた光源から射出された光束を変調して、画像情報に応じた画像光を形成し、画像光をスクリーン等の被投射面上に拡大投射するものである。プロジェクター１Ａは、外装を構成する外装筐体２と、外装筐体２内に収納される装置本体３と、を備える。
【００２４】
外装筐体２は、天面（図示せず）と、正面２Ｂと、背面２Ｃと、左側面２Ｄと、右側面２Ｅと、底面（図示せず）と、を備え、平面視略矩形状に形成された箱状体である。外装筐体２の底面には、複数の脚部（図示せず）が設けられている。
【００２５】
プロジェクター１Ａは、脚部が設置面に接するように配置されることで正置き姿勢となり、また、正置き姿勢とは上下を逆にして底面を天井等に向けた状態で取り付けられることで天吊り姿勢となる。
【００２６】
装置本体３は、光学制御装置２００ａと、第１冷却装置ＣＵ１と、光学ユニット４と、を備える。また、装置本体３は、図示を省略したが、プロジェクター１Ａの各構成部材に駆動電力を供給する電源装置等を備える。
【００２７】
光学制御装置２００ａは、第１冷却装置ＣＵ１と、光学ユニット４と、を制御する。
第１冷却装置ＣＵ１は、ファンＦ１およびファンＦ２により構成され、外装筐体２の外から冷却流体である冷却空気を導入し、光学ユニット４、光学制御装置２００ａおよび電源装置に冷却空気を送風して、これら各装置を冷却する。ファンＦ１，Ｆ２は、投射光学装置４５を挟むように配置されている。ファンＦ１，Ｆ２は、シロッコファンで構成され、外装筐体２に形成された吸気口（図示せず）から外部の冷却空気を導入し、冷却空気を後述する電気光学装置４４に送風する。
【００２８】
光学ユニット４は、光学制御装置２００ａによる制御の下、画像情報に応じた画像光を形成し、画像光を、スクリーン等に投射する。光学ユニット４は、光源装置５と、照明光学装置４１と、色分離光学装置４２と、リレー光学装置４３と、電気光学装置４４と、投射光学装置（投射光学系）４５と、光学部品用筐体４６と、を備える。
光学部品用筐体４６は、光学ユニット４の各装置を、内部に設定された照明光軸Ａ上の所定位置に収納し、投射光学装置４５を支持する。
【００２９】
光源装置５は、光束を射出する。光源装置５は、第２冷却装置（冷却部）ＣＵ２と、光源ユニット５０と、平行化凹レンズ５６と、ハウジング５７と、ファン制御装置２００ｂと、を備える。
【００３０】
第２冷却装置ＣＵ２は、ファンＦ３およびファンＦ４により構成されている。
ファンＦ３，Ｆ４は、光源ユニット５０の近傍に配置されている。プロジェクター１Ａの背面２Ｃ側に位置するファンＦ３は、シロッコファンで構成され、外装筐体２内の冷却空気を吸引して、光源ユニット５０に送風する。
【００３１】
また、プロジェクター１Ａの正面２Ｂ側に位置するファンＦ４は、軸流ファンで構成されている。ファンＦ４は、光源ユニット５０を冷却した空気を吸引して、プロジェクター１Ａの正面２Ｂに向かって排出し、該空気を正面２Ｂの排気口２Ｂ１を介して外装筐体２外に排出する。
なお、ファンＦ３は軸流ファンであってもよく、ファンＦ４はシロッコファンであってもよい。また、排気口２Ｂ１は、外装筐体２のどの面に形成されていてもよい。
【００３２】
図２は、光源ユニット５０の構成を示す断面図である。光源ユニット５０は、図２に示すように、主反射鏡５５と、放電灯９０と、副反射鏡５２と、放電灯点灯装置（放電灯駆動部）１０と、を備えている。
主反射鏡５５は、放電灯９０から放出された光を照射方向Ｄに向けて反射する。照射方向Ｄは、放電灯９０の照明光軸Ａと平行である。
【００３３】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３４】
放電空間９１には、第１電極（電極）９２および第２電極（電極）９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、照明光軸Ａに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３５】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３６】
第１端子５３６および第２端子５４６は、放電灯点灯装置１０に接続されている。放電灯点灯装置１０は、第１端子５３６および第２端子５４６に、放電灯９０を駆動するための駆動電流を供給する。言い換えると、放電灯点灯装置１０は、放電灯９０の第１電極９２と第２電極９３との間に駆動電力を印加する。その結果、第１電極９２および第２電極９３の間でアーク放電が起きる。アーク放電により発生した光（放電光）は、破線の矢印で示すように、放電位置から全方向に向かって放射される。放電灯点灯装置１０は、光学制御装置２００ａによって制御される。
【００３７】
図３は、放電灯９０を示す拡大断面図である。
第１電極９２は、図３に示すように、芯棒６１２と、コイル部６１４と、本体部６１６と、突起６１８と、を備えている。第１電極９２は、放電灯本体５１０への封入前の段階において、芯棒６１２に電極材（タングステン等）の線材を巻き付けてコイル部６１４を形成し、形成されたコイル部６１４を加熱・溶融することにより形成される。これにより、第１電極９２の先端側には、熱容量が大きい本体部６１６と、アークＡＲの発生位置となる突起６１８が形成される。
【００３８】
第２電極９３は、芯棒７１２と、コイル部７１４と、本体部７１６と、突起７１８と、を備えている。第２電極９３は、第１電極９２と同様にして形成される。
なお、第１電極９２と第２電極９３とは、同様の構成であるため、以下の説明においては、代表して第１電極９２についてのみ説明する場合がある。また、第１電極９２の先端の突起６１８と第２電極９３の先端の突起７１８とは、同様の構成であるため、以下の説明においては、代表して突起６１８についてのみ説明する場合がある。
【００３９】
放電灯９０を点灯すると、放電空間９１内に封入されたガスは、アークＡＲの発生により加熱され、放電空間９１内において対流する。詳細には、アークＡＲおよびその付近の領域は極めて高温となるため、放電空間９１内において、アークＡＲから鉛直方向上側に流れる対流ＡＦ（図３に一点鎖線の矢印で示す）が形成される。図３に示すように、この対流ＡＦは、放電灯本体５１０の内壁に当たって放電灯本体５１０の内壁に沿って移動し、第１電極９２および第２電極９３の芯棒６１２，７１２等を通過することによって冷却されつつ降下する。
降下した対流ＡＦは、放電灯本体５１０の内壁に沿って更に降下するが、アークＡＲの鉛直方向下側で互いに衝突して上方のアークＡＲに戻されるように上昇する。
【００４０】
対流ＡＦが、放電灯本体５１０の内壁を沿って移動することによって、放電灯本体５１０は加熱される。ここで、対流ＡＦは、アークＡＲの鉛直方向上側において最も温度が高く、アークＡＲの鉛直方向下側において最も温度が低い。そのため、アークＡＲの鉛直方向上側において対流ＡＦと接触する放電灯本体５１０の頂部５１０ａが、放電灯本体５１０（放電灯９０）において最も高温となる最熱部となる。また、アークＡＲの鉛直方向下側において対流ＡＦと接触する放電灯本体５１０の底部５１０ｂが、放電灯本体５１０（放電灯９０）において最も低温となる最冷部となる。
【００４１】
主反射鏡５５は、図２に示すように、固定部材１１４により、放電灯９０の第１端部９０ｅ１に固定されている。主反射鏡５５は、放電光のうち、照射方向Ｄと反対側に向かって進む光を照射方向Ｄに向かって反射する。主反射鏡５５の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡５５の反射面の形状を回転放物線形状とした場合、主反射鏡５５は、放電光を照明光軸Ａに略平行な光に変換することができる。これにより、平行化凹レンズ５６を省略することができる。
【００４２】
副反射鏡５２は、固定部材５２２により、放電灯９０の第２端部９０ｅ２側に固定されている。副反射鏡５２の反射面（放電灯９０側の面）の形状は、放電空間９１の第２端部９０ｅ２側の部分を囲む球面形状である。副反射鏡５２は、放電光のうち、主反射鏡５５が配置された側と反対側に向かって進む光を主反射鏡５５に向かって反射する。これにより、放電空間９１から放射される光の利用効率を高めることができる。
【００４３】
固定部材１１４，５２２の材料は、放電灯９０からの発熱に耐え得る耐熱材料である範囲内において、特に限定されず、例えば、無機接着剤である。主反射鏡５５および副反射鏡５２と放電灯９０との配置を固定する方法としては、主反射鏡５５および副反射鏡５２を放電灯９０に固定する方法に限らず、任意の方法を採用できる。例えば、放電灯９０と主反射鏡５５とを、独立にハウジング５７に固定してもよい。副反射鏡５２についても同様である。
【００４４】
ハウジング５７は、図１に示すように、光源ユニット５０および平行化凹レンズ５６を収納する。
平行化凹レンズ５６は、主反射鏡５５により収束される光束を、照明光軸Ａに対して平行化する。
【００４５】
ファン制御装置２００ｂは、第２冷却装置ＣＵ２、すなわち、ファンＦ３，Ｆ４を制御する。本実施形態においては、第２冷却装置ＣＵ２のうち、主としてファンＦ３を制御することによって、放電灯９０の冷却状態を制御する方法について説明する。また、本実施形態において、ファンＦ３を制御する方法としては、ファンＦ３を駆動するために印加されるファン電圧Ｖｆを制御することによって、ファンＦ３の回転数（冷却風の流量）を変化させる方法を用いる。この方法によれば、ファン電圧ＶｆはファンＦ３の回転数とほぼ比例するため、ファンＦ３の回転数を制御することが容易である。
ファン制御装置２００ｂは、定常出力モードと、低出力モードと、を実行可能である。詳細については後述する。
【００４６】
本実施形態においては、光学制御装置２００ａと、ファン制御装置２００ｂと、で制御ユニット（制御部）２００を構成している。
【００４７】
照明光学装置４１は、一対のレンズアレイ４１１，４１２と、偏光変換素子４１３と、重畳レンズ４１４と、を備える。
色分離光学装置４２は、ダイクロイックミラー４２１，４２２と、反射ミラー４２３と、を備える。
リレー光学装置４３は、入射側レンズ４３１と、リレーレンズ４３３と、反射ミラー４３２，４３４と、を備える。
【００４８】
電気光学装置４４は、フィールドレンズ４４１と、光変調装置としての液晶パネル（光変調素子）４４２と、入射側偏光板４４３と、視野角補償板４４４と、射出側偏光板４４５と、色合成光学装置としてのクロスダイクロイックプリズム４４６と、を備える。
液晶パネル４４２は、赤色光用の液晶パネル４４２Ｒと、緑色光用の液晶パネル４４２Ｇと、青色光用の液晶パネル４４２Ｂと、を備える。フィールドレンズ４４１、入射側偏光板４４３、視野角補償板４４４および射出側偏光板４４５は、液晶パネル４４２Ｒ，４４２Ｇ，４４２Ｂ毎にそれぞれ設けられている。
【００４９】
投射光学装置４５は、電気光学装置４４で変調された光束を拡大投射する。この投射光学装置４５は、図示を省略するが、筒状の鏡筒内に複数のレンズが収納された組レンズとして構成されている。
【００５０】
光源装置５から射出された光束は、照明光学装置４１により、照明領域内の照度が略均一化され、光束は、色分離光学装置４２により、赤（Ｒ），緑（Ｇ），青（Ｂ）の３つの色光に分離される。分離された各色光は、各液晶パネル４４２にて画像情報（映像信号）に応じてそれぞれ変調される。そして、変調された各色光は、クロスダイクロイックプリズム４４６にて合成され、投射光学装置４５により投射面（例えば、スクリーン等）上に拡大投射される。
【００５１】
次に、本実施形態の制御ユニット２００による制御方法について説明する。
まず、光学制御装置２００ａによる放電灯点灯装置１０の制御、すなわち、放電灯９０へ供給される駆動電力Ｗｄの制御について説明する。
【００５２】
本実施形態においては、光学制御装置２００ａは、放電灯９０に定常点灯電力（第１駆動電力）Ｗｓが供給される定常点灯モード（定常点灯駆動）と、放電灯９０に定常点灯電力よりも大きいリフレッシュ電力（第２駆動電力）Ｗｒが供給される高電力モード（高電力駆動）とを実行可能である。
【００５３】
以下の説明においては、一例として、放電灯９０の点灯を開始してから、定常点灯モードへと移行するまでの立上期間において高電力モードが実行される場合について説明する。また、本実施形態において、定常点灯モードにおける定常点灯電力（第１駆動電力）は、放電灯９０の定格電力よりも低い駆動電力Ｗｄに設定されており、例えば、定常点灯モードは低電力モードである。
【００５４】
図４（Ａ）は、本実施形態の駆動電力波形の一例を示す図である。図４（Ａ）において、縦軸は駆動電力Ｗｄを示しており、横軸は時間Ｔを示している。図４（Ａ）では、放電灯９０を点灯させた時点から定常点灯状態になるまでの駆動電力Ｗｄの変化を示している。
【００５５】
図４（Ａ）に示すように、放電灯９０の点灯を開始（ランプ点灯開始）すると、駆動電力Ｗｄは徐々に上昇した後、所定の目標電力に到達する。このとき、放電灯９０の内部のプラズマ密度は小さく、温度は低く、駆動電力Ｗｄは不安定な状態である。その後、放電灯９０の内部のプラズマ密度が大きく、温度が高くなるにつれて、駆動電力Ｗｄは安定な状態となる。放電灯９０の点灯開始から駆動電力Ｗｄが安定するまでの期間を立上期間ＰＨ１と定義する。立上期間ＰＨ１が過ぎた後は継続的に放電灯９０を点灯させる期間に入る。この期間を定常点灯期間ＰＨ２と定義する。
【００５６】
本実施形態の駆動電力波形においては、立上期間ＰＨ１は、駆動電力Ｗｄが徐々に増加する第１立上期間ＰＨ１１と、駆動電力Ｗｄが一定に維持される第２立上期間ＰＨ１２と、を有している。第１立上期間ＰＨ１１においては、駆動電力Ｗｄがリフレッシュ電力Ｗｒに向けて徐々に増加する。そして、駆動電力Ｗｄがリフレッシュ電力Ｗｒとなった時点（時刻Ｔｓ）を境として、駆動電力波形は、第２立上期間ＰＨ１２へと移行する。
【００５７】
第２立上期間ＰＨ１２においては、駆動電力Ｗｄがリフレッシュ電力Ｗｒの値に一定に維持される。すなわち、第２立上期間ＰＨ１２は、高電力モードで放電灯９０が駆動される高電力点灯期間である。リフレッシュ電力Ｗｒは、定常点灯期間ＰＨ２において放電灯９０に供給される定常点灯電力Ｗｓよりも大きい。
【００５８】
第２立上期間ＰＨ１２が所定時間、例えば、図４（Ａ）の例では時刻Ｔｓから時刻Ｔｅまで実行された後、駆動電力波形は、定常点灯期間ＰＨ２へと移行する。定常点灯期間ＰＨ２において駆動電力Ｗｄは、定常点灯電力Ｗｓの値に一定に維持される。
【００５９】
次に、ファン制御装置２００ｂによるファンＦ３へ印加されるファン電圧Ｖｆの制御について説明する。
図４（Ｂ）は、本実施形態のファン電圧波形の一例を示す図である。図４（Ｂ）において、縦軸はファン電圧Ｖｆを示しており、横軸は時間Ｔを示している。図４（Ｂ）は、図４（Ａ）に対応したファン電圧Ｖｆの変化について示している。すなわち、図４（Ｂ）では、放電灯９０を点灯させた時点から定常点灯状態になるまでのファン電圧Ｖｆの変化を示している。
【００６０】
ファン制御装置２００ｂは、前述したように、定常出力モードと、低出力モードと、を実行可能である。
定常出力モードは、定常ファン電圧（第１出力）がファンＦ３に印加されるファンＦ３の出力モードである。定常ファン電圧は、放電灯９０の放電灯温度を適正温度に維持するために設定されるファン電圧Ｖｆであり、駆動電力Ｗｄに応じて設定される。本実施形態において定常ファン電圧は、駆動電力Ｗｄに比例するように設定される。すなわち、定常出力モードが実行される場合には、駆動電力Ｗｄの波形と、ファン電圧Ｖｆの波形とは、似たような形状となる。
【００６１】
なお、本明細書において、ファン電圧Ｖｆ（定常ファン電圧）が駆動電力Ｗｄに比例するとは、ファン電圧Ｖｆが厳密に駆動電力Ｗｄに比例する場合のみを意味するものではなく、例えば、０．９倍以上、１．１倍以下程度の誤差は許容されるものとする。
【００６２】
低出力モードは、駆動電力Ｗｄに対して定常ファン電圧（第１出力）よりも小さいファン電圧（第２出力）がファンＦ３に印加されるファンＦ３の出力モードである。すなわち、本実施形態において第２出力は、駆動電力Ｗｄで放電灯９０が駆動される際に、放電灯温度を適正温度よりも上昇させるファン電圧である。
【００６３】
本実施形態において、定常出力モードは、第１立上期間ＰＨ１１と定常点灯期間ＰＨ２とにおいて実行される。すなわち、第１立上期間ＰＨ１１と定常点灯期間ＰＨ２とにおいてファン電圧Ｖｆは、駆動電力Ｗｄに比例する定常ファン電圧に設定される。
【００６４】
図４（Ｂ）に示すように、第１立上期間ＰＨ１１においては、駆動電力Ｗｄの上昇に伴って、ファン電圧Ｖｆは駆動電力Ｗｄに比例して上昇する。そして、駆動電力Ｗｄがリフレッシュ電力Ｗｒとなったとき、ファン電圧Ｖｆの値は、リフレッシュ電力Ｗｒに対応した定常ファン電圧の値であるＶｆｒとなる。
定常点灯期間ＰＨ２においては、ファン電圧Ｖｆの値は、定常点灯電力Ｗｓに対応した定常ファン電圧の値であるＶｆｓに設定され、一定に維持される。
【００６５】
本実施形態において、低出力モードは、高電力点灯期間の全体、すなわち、第２立上期間ＰＨ１２の全体において実行される。
第２立上期間ＰＨ１２においては、ファン電圧Ｖｆの値は、リフレッシュ電力Ｗｒに対応した定常ファン電圧の値であるＶｆｒよりも小さいＶｆｍに設定され、一定に維持される。すなわち、第２立上期間ＰＨ１２における低出力モードによるファン電圧（第２出力）Ｖｆｍは、駆動電力Ｗｄに対しての出力が定常ファン電圧（第１出力）よりも小さく設定されている。
【００６６】
本実施形態において、第２立上期間ＰＨ１２における低出力モードのファン電圧Ｖｆの値であるＶｆｍは、定常点灯期間ＰＨ２における定常ファン電圧の値であるＶｆｓ以上である。図４（Ｂ）の例では、ファン電圧値Ｖｆｍは、ファン電圧値Ｖｆｓよりも大きい。
【００６７】
なお、第２立上期間ＰＨ１２において定常出力モードが実行される場合には、図４（Ｂ）における二点鎖線で示すように、ファン電圧Ｖｆの値は、リフレッシュ電力Ｗｒの定常ファン電圧の値であるＶｆｒに設定され、一定に維持される。
【００６８】
本実施形態においては、ファン制御装置２００ｂは、高電力モードによって第１電極９２に加えられる熱負荷の大きさに応じて、第２立上期間ＰＨ１２（高電力点灯期間）における第２冷却装置ＣＵ２（ファンＦ３）の駆動を制御する。本実施形態においては、例えば、高電力モードによる熱負荷の大きさに応じて、第２立上期間ＰＨ１２における低出力モードのファン電圧Ｖｆの値（Ｖｆｍ）を調整する。具体的には、第２立上期間ＰＨ１２における低出力モードのファン電圧Ｖｆの値（Ｖｆｍ）は、高電力モードによる熱負荷の大きさが大きいほど、大きく設定される。
【００６９】
高電力モードによる熱負荷の大きさは、高電力モードにおけるリフレッシュ電力Ｗｒや、駆動電流波形に応じて変化する。以下、一例として、高電力モードによる熱負荷の大きさを判断するパラメーターをリフレッシュ電力Ｗｒとした場合について説明する。
【００７０】
リフレッシュ電力Ｗｒの値が大きいほど、高電力モードによる熱負荷の大きさは大きくなる。そのため、リフレッシュ電力Ｗｒの値が大きいほど、第２立上期間ＰＨ１２における低出力モードのファン電圧Ｖｆの値（Ｖｆｍ）は大きく設定される。
【００７１】
一例として、第２立上期間ＰＨ１２において、低出力モードのファン電圧値Ｖｆｍは、リフレッシュ電力Ｗｒの大きさに比例する定常出力モードの定常ファン電圧のファン電圧値Ｖｆｒの０．７倍以上、０．９倍以下程度の値に設定される。低出力モードのファン電圧値Ｖｆｍをこのような値に設定することで、黒化を抑制しつつ、放電灯温度が過度に大きくなることを抑制できる。
【００７２】
以上に説明したようにして、制御ユニット２００は、放電灯９０へ供給される駆動電力ＷｄおよびファンＦ３に印加されるファン電圧Ｖｆを制御する。
【００７３】
上記説明した制御ユニット２００のファン制御装置２００ｂによる制御は、放電灯の冷却方法として表現することもできる。すなわち、本実施形態の放電灯の冷却方法は、第１電極９２および第２電極９３を有し駆動電力Ｗｄが供給されて駆動する放電灯９０と、放電灯９０を冷却する第２冷却装置ＣＵ２と、を備える放電灯の冷却方法であって、放電灯９０に定常点灯電力Ｗｓを供給する定常点灯モードと、放電灯９０に定常点灯電力Ｗｓよりも大きいリフレッシュ電力Ｗｒを供給し、かつ第１電極９２および第２電極９３の先端を溶融させる高電力モードと、を含み、定常点灯モードが実行される定常点灯期間ＰＨ２において、駆動電力Ｗｄの値に応じて設定されている定常ファン電圧で第２冷却装置ＣＵ２（ファンＦ３）を駆動し、高電力モードが実行される高電力点灯期間、すなわち、第２立上期間ＰＨ１２の少なくとも一部において、駆動電力Ｗｄの値に対しての出力が定常ファン電圧よりも小さいファン電圧で第２冷却装置ＣＵ２（ファンＦ３）を駆動することを特徴とする。
【００７４】
本実施形態によれば、高電力モードが実行される第２立上期間ＰＨ１２において、ファンＦ３は、低出力モードで駆動される。そのため、第２立上期間ＰＨ１２（高電力点灯期間）において、放電灯９０の放電灯温度は、ファンＦ３が定常出力モードで駆動される場合に比べて、高くなる。これにより、放電灯９０の内部、すなわち、放電空間９１においてハロゲンサイクルが活性化される。
【００７５】
ここで、ハロゲンサイクルとは、溶融し蒸発した電極物質と放電灯内部に封入されたハロゲンガスとを反応させることで、電極物質をハロゲン化させ、蒸発した電極物質を放電灯内の対流によって再び電極へと戻す、反応サイクルである。ハロゲン化された電極物質は、融点が降下するため、発光管内壁において凝固することが抑制され、結果として黒化が抑制される。
【００７６】
したがって、本実施形態によれば、ハロゲンサイクルが活性化されることで、高電力モードが実行される期間（第２立上期間ＰＨ１２）における黒化を抑制できる。その結果として、光源装置５の照度低下や、失透を抑制でき、放電灯９０の寿命が低下することを抑制できる。
【００７７】
図５（Ａ），（Ｂ）は、高電力モードを実行することによる放電灯９０の第１電極９２における先端の突起６１８の形状変化を示す図である。図５（Ａ）は、高電力モードを実行する前の突起６１８を示す図である。図５（Ｂ）は、高電力モードを実行した後の突起６１８を示す図である。図５（Ｂ）において点線で示す形状は、図５（Ａ）に示す突起６１８の形状である。
【００７８】
図５（Ａ），（Ｂ）に示すように、高電力モードが実行されると、放電灯９０の第１電極９２における先端の突起６１８は、溶融され扁平化される。突起６１８が扁平化されると、アーク放電の輝点が安定せず、ちらつきが生じる虞がある。
【００７９】
これに対して、本実施形態によれば、高電力モードが実行される第２立上期間ＰＨ１２における放電灯９０の放電灯温度が、ファンＦ３が定常出力モードで駆動される場合に比べて、高くなる。そのため、放電灯９０の放電空間９１内に封入されたガスの内圧が上昇し、アーク放電の拡がりが抑えられる。これにより、本実施形態によれば、アーク放電の輝点を安定させることができ、放電灯９０のちらつきが生じることを抑制できる。
【００８０】
また、本実施形態によれば、定常出力モードにおけるファン電圧Ｖｆは、駆動電力Ｗｄに比例するため、放電灯９０の放電灯温度を安定して一定の値に維持することが容易である。
【００８１】
また、本実施形態によれば、ファン制御装置２００ｂは、高電力モードによって第１電極９２に加えられる熱負荷の大きさに応じて、第２立上期間ＰＨ１２（高電力点灯期間）における第２冷却装置ＣＵ２（ファンＦ３）の駆動を制御する。そのため、放電灯９０の放電灯温度を調整しやすく、放電灯温度が過度に大きくなることを抑制しやすい。
【００８２】
また、本実施形態によれば、高電力モードによる熱負荷が大きいほど、低出力モードのファン電圧Ｖｆは大きく設定される。これにより、例えば、高電力モードのリフレッシュ電力Ｗｒの値に応じて、低出力モードのファン電圧Ｖｆを調整することで、放電灯温度が過度に大きくなることを抑制できる。
【００８３】
また、本実施形態によれば、第２立上期間ＰＨ１２（高電力点灯期間）の全体において、低出力モードでファンＦ３が駆動されるため、ファン制御装置２００ｂによるファン電圧Ｖｆの制御が簡便である。
【００８４】
また、本実施形態によれば、第２立上期間ＰＨ１２（高電力点灯期間）における低出力モードのファン電圧値Ｖｆｍは、定常点灯期間ＰＨ２における定常出力モードのファン電圧値Ｖｆｓ以上である。そのため、第２立上期間ＰＨ１２において、放電灯９０の放電灯温度が過度に上昇することを抑制できる。
【００８５】
また、本実施形態によれば、立上期間ＰＨ１において高電力モードが実行される。放電灯９０の点灯を開始してから放電灯９０の放電灯温度が安定するまでの間は、放電灯温度が比較的低い状態となる。そのため、立上期間ＰＨ１の第２立上期間ＰＨ１２において、ファンＦ３を低出力モードで駆動することで、放電灯９０の放電灯温度を比較的早く上昇させることができる。これにより、黒化をより効果的に抑制できる。
【００８６】
また、高電力モードが実行されると、放電灯９０に供給される駆動電力Ｗｄが大きくなるため、放電灯９０から射出される光の強度が大きくなる。これにより、定常点灯期間ＰＨ２中に高電力モードが実行されると、放電灯９０から射出される光の強度が変化し、ちらつきが生じる場合がある。
これに対して、本実施形態によれば、立上期間ＰＨ１において高電力モードが実行されるため、定常点灯期間ＰＨ２において駆動電力Ｗｄが大きくなることが抑制され、放電灯９０のちらつきが生じることを抑制できる。
【００８７】
また、本実施形態によれば、制御ユニット２００は、定常点灯モードの定常点灯期間ＰＨ２において、定常点灯電力（第１駆動電力）Ｗｓとして、放電灯９０の定格電力よりも低い駆動電力、例えば低電力モードに対応する駆動電力が放電灯９０に供給されるように放電灯点灯装置１０を制御する。そのため、低電力モードにより消耗、縮小等した第１電極９２の突起６１８および第２電極９３の突起７１８を、高電力モードによって効果的に溶融し、突起６１８，７１８の形成につなげることができる。
【００８８】
また、本実施形態によれば、第２立上期間ＰＨ１２においては、定常点灯期間ＰＨ２において供給される定常点灯電力Ｗｓよりも大きいリフレッシュ電力Ｗｒが放電灯に９０に供給される。すなわち、第２立上期間ＰＨ１２においては、リフレッシュ電力Ｗｒの供給により放電灯９０の電極先端の突起６１８，７１８の溶融が促進されて第１電極９２の材質および第２電極９３の材質が蒸発しやすい。そのため、第２立上期間ＰＨ１２において、駆動電力Ｗｄの値に対しての出力が定常ファン電圧（第１出力）よりも小さいファン電圧（第２出力）でファンＦ３を駆動させることで、ハロゲンサイクルを活性化させることができる。これにより、より効果的に放電灯９０の発光管の黒化を抑制できる。
【００８９】
なお、本実施形態においては、以下の構成および方法を採用してもよい。
【００９０】
本実施形態においては、定常出力モードにおけるファン電圧Ｖｆは、駆動電力Ｗｄに比例しなくてもよい。
また、本実施形態においては、第２立上期間ＰＨ１２における低出力モードのファン電圧値Ｖｆｍが、定常点灯期間ＰＨ２における定常出力モードのファン電圧値Ｖｆｓより小さくてもよい。
【００９１】
また、上記説明においては、高電力モードによる熱負荷の大きさを判断するパラメーターとして、リフレッシュ電力Ｗｒの大きさを用いたが、これに限られない。本実施形態においては、高電力モードによる熱負荷の大きさを判断するパラメーターとして、駆動電流波形を用いてもよいし、リフレッシュ電力Ｗｒの大きさと駆動電流波形との両方を用いてもよい。
また、本実施形態においては、高電力モードによる熱負荷の大きさによらず、低出力モードのファン電圧Ｖｆの値が設定されていてもよい。
【００９２】
また、本実施形態においては、高電力モードは、定常点灯期間ＰＨ２において実行される構成としてもよい。
【００９３】
また、本実施形態においては、図６に示すように、高電力モードが実行される第２立上期間ＰＨ１２の一部において、定常ファン電圧よりも小さいファン電圧でファンＦ３が駆動されてもよい。すなわち、本実施形態においては、高電力モードが実行される第２立上期間ＰＨ１２の少なくとも一部において、定常ファン電圧よりも小さいファン電圧でファンＦ３が駆動される構成を採用できる。
【００９４】
図６は、本実施形態のファン電圧波形の他の一例を示す図である。図６において、縦軸はファン電圧Ｖｆを示しており、横軸は時間Ｔを示している。図６は、図４（Ｂ）と同様に、放電灯９０を点灯開始させた時点から定常点灯状態になるまでのファン電圧Ｖｆの変化を示している。
【００９５】
図６に示す例では、第２立上期間ＰＨ１２における時刻Ｔｓから時刻Ｔｍまでの期間において、低出力モードでファンＦ３が駆動される。第２立上期間ＰＨ１２における時刻Ｔｍから時刻Ｔｅまでの期間においては、定常出力モードでファンＦ３が駆動される。低出力モードでファンＦ３が駆動される期間の長さｔ１、および定常出力モードでファンＦ３が駆動される期間の長さｔ２は、適宜設定される。
【００９６】
例えば、ファン制御装置２００ｂは、高電力モードによる熱負荷の大きさが大きいほど、第２立上期間ＰＨ１２において低出力モードでファンＦ３が駆動される期間の長さｔ１を小さく設定する。このように設定することで、放電灯温度が過度に大きくなることを抑制しやすい。
【００９７】
この構成によれば、第２立上期間ＰＨ１２の一部において、低出力モードでファンＦ３が駆動されるため、第２立上期間ＰＨ１２における放電灯９０の放電灯温度を調整しやすく、放電灯温度が過度に大きくなることを抑制しやすい。
【００９８】
また、この構成によれば、第２立上期間ＰＨ１２が開始される時刻Ｔｓから低出力モードが実行されている。そのため、放電灯温度が安定する前の比較的低い状態において低出力モードが実行されやすい。したがって、この構成によれば、放電灯温度を比較的早く上昇させやすい。
【００９９】
また、この構成によれば、定常点灯期間ＰＨ２の直前の期間において定常出力モードが実行されるため、定常点灯期間ＰＨ２に移行した後、放電灯９０の放電灯温度が適正温度となるまでの時間を短くできる。
【０１００】
なお、この構成においては、第２立上期間ＰＨ１２のいずれの一部分において、低出力モードが実行されてもよい。例えば、低出力モードは、時刻Ｔｍから時刻Ｔｅまでの間において実行されてもよいし、時刻Ｔｓから所定時間経過した時刻から、時刻Ｔｅの所定時間前の時刻までの間において実行されてもよい。
【０１０１】
また、この構成においては、低出力モードは、連続的に設けられずに複数の期間に分かれて実行されてもよい。例えば、低出力モードは、時刻Ｔｓから所定時間経過した時刻までの間と、時刻Ｔｅの所定時間前の時刻から時刻Ｔｅまでの間との２つの期間において、実行されてもよい。
【０１０２】
また、本実施形態においては、図７に示すように、低出力モードにおけるファン電圧Ｖｆの値を変化させてもよい。
図７は、本実施形態のファン電圧波形の他の一例を示す図である。図７において、縦軸はファン電圧Ｖｆを示しており、横軸は時間Ｔを示している。図７は、図４（Ｂ）と同様に、放電灯９０を点灯させた時点から定常点灯状態になるまでのファン電圧Ｖｆの変化を示している。
【０１０３】
図７に示す例では、第２立上期間ＰＨ１２の全体において低出力モードでファンＦ３が駆動される。時刻Ｔｓから時刻Ｔｍまでの期間において、低出力モードのファン電圧Ｖｆの値はＶｆｍ２であり、時刻Ｔｍから時刻Ｔｅまでの期間において、低出力モードのファン電圧Ｖｆの値はＶｆｍ１である。ファン電圧Ｖｆｍ１は、ファン電圧Ｖｆｍ２より大きい。図６に示した例と同様に、各期間の長さは、適宜設定できる。
【０１０４】
この構成によれば、低出力モードにおけるファン電圧Ｖｆの値が変化するため、放電灯９０の放電灯温度を調整しやすい。
【０１０５】
また、この構成によれば、定常点灯期間ＰＨ２の直前の期間において低出力モードのファン電圧Ｖｆが大きくなるため、定常点灯期間ＰＨ２の直前における放電灯温度を低下させることができ、定常点灯期間ＰＨ２に移行した後、放電灯９０の放電灯温度が適正温度となるまでの時間を短くできる。
【０１０６】
なお、この構成においては、第２立上期間ＰＨ１２において、低出力モードにおけるファン電圧Ｖｆの値をどのように変化させてもよい。例えば、時刻Ｔｓから時刻Ｔｍまでの期間における低出力モードのファン電圧Ｖｆよりも、時刻Ｔｍから時刻Ｔｅまでの期間における低出力モードのファン電圧Ｖｆが小さい構成であってもよいし、低出力モードのファン電圧Ｖｆが一度大きくなった後に、再び小さくなるような構成であってもよい。
【０１０７】
また、この構成においては、低出力モードにおけるファン電圧Ｖｆは、連続的に変化してもよい。この場合において、低出力モードにおけるファン電圧Ｖｆは、直線的に増加、あるいは減少するような構成であってもよいし、曲線的に増加、あるいは減少するような構成であってもよい。また、低出力モードにおけるファン電圧Ｖｆは、周期的に増加、あるいは減少するような構成であってもよい。
【０１０８】
また、この構成においては、第２立上期間ＰＨ１２の一部において、定常出力モードでファンＦ３が駆動されてもよい。
【０１０９】
なお、上記説明した各構成は、相互に矛盾しない範囲内において、適宜組み合わせることができる。
【０１１０】
また、上記実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１１１】
また、上記実施形態において、３つの液晶パネル４４２を用いたプロジェクター１Ａの例を挙げたが、本発明は、１つの液晶パネルのみを用いたプロジェクター、４つ以上の液晶パネルを用いたプロジェクターにも適用可能である。
【符号の説明】
【０１１２】
１Ａ…プロジェクター、５…光源装置、１０…放電灯点灯装置（放電灯駆動部）、４５…投射光学装置（投射光学系）、９０…放電灯、９２…第１電極（電極）、９３…第２電極（電極）９３、２００…制御ユニット（制御部）、４４２…液晶パネル（光変調素子）、ＣＵ２…第２冷却装置（冷却部）、ＰＨ１…立上期間、ＰＨ２…定常点灯期間、Ｗｄ…駆動電力、Ｗｒ…リフレッシュ電力（第２駆動電力）、Ｗｓ…定常点灯電力（第１駆動電力）
【図１】
2016162614.tif 000003
【図２】
2016162614.tif 000004
【図３】
2016162614.tif 000005
【図４】
2016162614.tif 000006
【図５】
2016162614.tif 000007
【図６】
2016162614.tif 000008
【図７】
2016162614.tif 000009